(57)【特許請求の範囲】
【請求項１】
出入口の両側に立設された左右一対の支柱体と、
前記支柱体の間で出入口の前床部に形成された収納室と、
該収納室に引き起こし自在に収納された防水扉と、
前記支柱体に設けられて前記防水扉を収納室から引き起こし出入口を閉鎖するゲート開閉装置を具備し、
防水扉は、上下複数段に分割された分割扉が折り畳み自在に連結されて構成されるとともに、収納室に折り畳んだ状態で収納され、
前記ゲート開閉装置の閉動開始時に、展開状態で出入口を閉鎖する防水扉を、折り畳み方向に加圧する折り畳み始動機構を設けた
ことを特徴とする防水扉装置。
【請求項２】
分割扉を上段防水扉と下段防水扉とで構成し、
ゲート開閉装置は、前記上段防水扉に連結された索体を滑車を介して押し引きし防水扉を引き起こして展開および折り畳み可能な直線駆動装置を有し、
折り畳み始動機構は、閉鎖位置の下段防水扉に対応して支柱体に回動自在に支持されて押出し部と受動部とを有する押出しレバーと、前記直線駆動装置の作動部に設けられて前記押出しレバーの受圧部に当接する折り畳み用ドグとを有し、ゲート開閉装置の閉動開始時に、前記記直線駆動装置により前記折り畳み用ドグを介して前記押出しレバーの受圧部を押し上げ、前記押出しレバーの押出し部により下段防水扉を折り畳み方向に押し出すように構成された
ことを特徴とする請求項１記載の防水扉装置。
【請求項３】
直線駆動装置を、水道水圧を駆動源とする水道圧シリンダで構成した
ことを特徴とする請求項２記載の防水扉装置。
【請求項４】
収納室に収容された防水扉の最上段の分割扉を、収納室を覆う歩廊に構成した
ことを特徴とする請求項１に記載の防水扉装置。
【請求項５】
分割扉を上段防水扉と下段防水扉とで構成し、
ゲート開閉装置は、前記上段防水扉に連結された索体を滑車を介して押し引きし防水扉を引き起こして展開および折り畳み可能な直線駆動装置を有し、
閉鎖時に防水扉と支柱体の隙間をシールする防水シール用構成部材を少なくとも前記両支柱体側に設けるとともに、該防水シール用構成部材を覆うカバー体を支柱体にそれぞれ開閉自在に設け、
ゲート開閉装置の開動開始時に、前記カバー体を開動して防水シール用構成部材を露出するカバー体開放機構を設け、
前記カバー体開放機構を起動させるカバー開放ドグを前記直線駆動装置の作動部に設けた
ことを特徴とする請求項１記載の防水扉装置。
【請求項６】
直線駆動装置を、水道水圧を駆動源とする水道圧シリンダで構成し、
前記水道圧シリンダにより滑車を介して索体を支柱体内に引き込み、展開状態の防水扉を防水シール用構成部材を介して支柱体に押し付けるように構成した
ことを特徴とする請求項５記載の防水扉装置。
【発明の詳細な説明】
【０００１】
【発明の属する技術分野】
本発明は、建物や構造物の入口、地下駐車場やエレベータ装置の入口に設置され、高潮や洪水などでオーバーフローした水による浸水を防止する防水扉装置に関する。
【０００２】
【従来の技術】
たとえば集中豪雨などで河川が氾濫し道路などに冠水した水は、構造物の入口などを通って構造物内、特に地下施設に流入し、浸水する。
【０００３】
このため、緊急の浸水の防止策として、流入しやすい低位部分や出入口に土嚢を積む作業が人手により行われていた。
【０００４】
【発明が解決しようとする課題】
このように土嚢を使用する場合には、その準備作業や設置作業が重労働となり、時間的な余裕も必要となる。
【０００５】
また出入口などでは、防水用の扉を設置することも考えられるが、扉の容積や重量も大きく、通常時に扉を保管する保管場所も大きく必要な場合が多く、また扉の開閉や移動に大きい動力が必要になる。
【０００６】
本発明は上記問題点を解決して、保管場所も不要で、迅速に防水扉の開閉が可能な防水扉装置を提供することを目的とする。
【０００７】
【課題を解決するための手段】
上記目的を達成するために請求項１記載の発明は、出入口の両側に立設された左右一対の支柱体と、前記支柱体の間で出入口の前床部に形成された収納室と、該収納室に引き起こし自在に収納された防水扉と、前記支柱体に設けられて前記防水扉を収納室から引き起こし出入口を閉鎖するゲート開閉装置を具備し、防水扉は、上下複数段に分割された分割扉が折り畳み自在に連結されて構成されるとともに、収納室に折り畳んだ状態で収納され、前記ゲート開閉装置の閉動開始時に、展開状態で出入口を閉鎖する防水扉を、折り畳み方向に加圧する折り畳み始動機構を設けたものである。
【０００８】
請求項１記載の発明によれば、出入口の前床部に形成された収納室に、上下複数段に分割された分割扉からなる防水扉を折り畳んで収納し、出入口を閉鎖する時にゲート開閉装置により防水扉を収納室から引き起こすことにより、出入口への浸水を防止するので、防水扉の保管場所も不要で、迅速に防水扉の開閉が可能となる。また防水扉を複数の分割扉により構成し、収納室に折り畳んで収納するので、収納室の面積を大幅に削減することができる。さらに折り畳み始動機構により、閉動開始時に展開状態の防水扉を加圧して、分割扉をその自重を利用して容易かつ確実に折り畳むことができる。
【０００９】
請求項２記載の発明は、請求項１記載の構成において、分割扉を上段防水扉と下段防水扉とで構成し、ゲート開閉装置は、前記上段防水扉に連結された索体を滑車を介して押し引きし防水扉を引き起こして展開および折り畳み可能な直線駆動装置を有し、折り畳み始動機構は、閉鎖位置の下段防水扉に対応して支柱体に回動自在に支持されて押出し部と受動部とを有する押出しレバーと、前記直線駆動装置の作動部に設けられて前記押出しレバーの受圧部に当接する折り畳み用ドグとを有し、前記ゲート開閉装置の閉動開始時に、前記記直線駆動装置により前記折り畳み用ドグを介して前記押出しレバーの受圧部を押し上げ、前記押出しレバーの押出し部により下段防水扉を折り畳み方向に押し出すように構成されたものである。
【００１０】
請求項２記載の発明によれば、請求項１記載の発明の作用効果に加えて、縦長の支柱体内の空間に直線駆動機構を容易に配置することができ、索体を滑車を介して引き込みまたは送り出すことにより、狭い支柱体内に容易にゲート開閉装置を収容することができる。
【００１１】
請求項３記載の発明は、請求項２記載の構成において、直線駆動装置を、水道水圧を駆動源とする水道圧シリンダで構成したものである。
【００１２】
請求項４記載の発明は、請求項１記載の構成において、収納室に収容された防水扉の最上段の分割扉を、収納室を覆う歩廊に構成したものである。
請求項４記載の発明によれば、請求項１記載の発明の作用効果に加えて、収納室を最上段の分割扉で覆って歩廊としたことにより、収納室を閉鎖するカバーが不要となり、また出入口の閉鎖時にカバーを開放する開閉装置も不要となるので、生産コストを削減することができる。
【００１３】
請求項５記載の発明は、請求項１記載の構成において、分割扉を上段防水扉と下段防水扉とで構成し、ゲート開閉装置は、前記上段防水扉に連結された索体を滑車を介して押し引きし防水扉を引き起こして展開および折り畳み可能な直線駆動装置を有し、閉鎖時に防水扉と支柱体の隙間をシールする防水シール用構成部材を少なくとも前記両支柱体側に設けるとともに、該防水シール用構成部材を覆うカバー体を支柱体にそれぞれ開閉自在に設け、ゲート開閉装置の開動開始時に、前記カバー体を開動して防水シール用構成部材を露出するカバー体開放機構を設け、前記カバー体開放機構を起動させるカバー開放ドグを前記直線駆動装置の作動部に設けたものである。
【００１４】
請求項５記載の発明によれば、請求項１記載の発明の作用効果に加えて、出入口の開放時には、カバー体により防水シール用構成部材を覆うことで、直射日光などの劣化要因から遮断して防水シール用構成部材の劣化を防止して長寿命化を図り、交換やメンテナンスを削減してランニングコストを低減することができる。
【００１５】
請求項６記載の発明は、請求項５記載の構成において、直線駆動装置を、水道水圧を駆動源とする水道圧シリンダで構成し、前記水道圧シリンダにより滑車を介して索体を支柱体内に引き込み、展開状態の防水扉を防水シール用構成部材を介して支柱体に押し付けるように構成したものである。
【００１６】
請求項６記載の発明によれば、請求項５記載の発明の作用効果に加えて、直線駆動機構を水道圧シリンダで構成することにより、駆動ユニットが不要となり、また停電の可能性がある電源も不要で、非常時にも正常に開閉することができる。また、索体を支柱体内に引き込むことで、防水扉を防水シール用構成部材を介して支柱体に押し付け、浸水を確実に防止することができる。
【００１８】
【発明の実施の形態】
ここで、本発明に係る防水扉装置の実施の形態を図１〜図１１に基づいて説明する。
【００１９】
この防水扉装置は、水道水圧を駆動源とした簡易な設備で、たとえば地下鉄などに設置されたエレベータ装置の地上への出入口を開閉して道路などからの水の流入を防止するものである。
【００２０】
図１〜図５に示すように、エレベータ装置の出入口１の両側に、左右一対の支柱体２が立設され、これら支柱体２の間で出入口１の前床部に防水扉４を収納する収納室３が形成されている。前記支柱体２には、前面にそれぞれシールパッキンからなる側部シール材（防水シール用構成部材）５Ａが取り付けられ、また収納室３の前面３ａにシールパッキンからなる底部シール材（防水シール用構成部材）５Ｂが全幅にわたって取り付けられている。
【００２１】
左右の支柱体２には、水道水圧により伸縮駆動される水道圧シリンダ（直線駆動機構）９によりワイヤロープなどの索体８を介して防水扉４をゲート収納室３から引き起こし出入口１を開閉するゲート開閉装置７が設けられており、ゲート開閉装置７により、防水扉４の防水シール用構成部材（後述する）を側部シール材５Ａおよび底部シール材５Ｂに押し付けてその隙間をシールすることができる。
【００２２】
前記支柱体２は、図７〜図９に示すように、１１と、支柱本体１１の前面に取り付けられて内面にガイド面の形成されたガイドプレート１２と、支柱本体１１に開閉自在に取り付けられてガイドプレート１２のガイド面、側部シール材５Ａおよび開口部（後述する）１０を覆うカバー体１３とを具備し、支柱本体１１内に、ゲート開閉装置７による防水扉４の開動開始時に、前記カバー体１３を開動して側部シール材５Ａを露出するカバー体開放機構３１が設けられている。
【００２３】
前記防水扉４は、図６に示すように、上下複数段（図では２段）に分割された上段防水扉（分割扉）４Ａと中間材４Ｃと下段防水扉（分割扉）４Ｂを、中間ヒンジ１４ａ，１４ｂを介して互いに折り畳み自在に連結され、また中間材４Ｃと下段防水扉４Ｂとの間に複数の連結リンク１４ｄが設けられている。さらに下段防水扉４Ｂは、底辺部が底部ヒンジ１４ｃを介して収納室３の前面３ａに回動自在に連結され、下段防水扉４Ｂ上に上段防水扉４Ａを水平に重ねて折り畳んだ状態で収納室３に収納されるとともに、収納状態の上段防水扉４Ａの上面スキンプレート４ａが歩廊に構成されている。また、収納室３内で折り畳まれた状態で、下段防水扉４Ｂと上段防水扉４Ａとをそれぞれ水平に保持するために、下段防水扉４Ｂの中間位置に、複数の上脚部材１５Ａと下脚部材１５Ｂがそれぞれ突設されている。
【００２４】
そして、上段防水扉４Ａと中間材４Ｃと下段防水扉４Ｂの連結部で支柱体２側に可撓性を有するたとえば合成ゴム製のシール板からなる連結シール部材（防水シール用構成部材）６Ａが取り付けられ、さらに側部シール材５Ａおよび底部シール材５Ｂの対応位置にたとえば合成ゴム製のシール板からなる圧接シール部材（防水シール用構成部材）６Ｂが取り付けられている。
【００２５】
閉鎖時に直線状に起立された防水扉４は、ゲート開閉装置７により索体８が緩められて自重により折り畳まれるため、防水扉４の閉動開始時に、防水扉を折り畳み方向に加圧する折り畳み始動機構４１が支柱本体１１に設けられている。
【００２６】
以下、詳細を説明する。
図７，図９に示すように、支柱体２の支柱本体１１は矩形断面の筒状に形成され、中間部から下端部にかけて、前側内板部１１ａと外側前板部１１ｂとを残して、内面と前面にわたって開口部１０が形成されて開放されている。ガイドプレート１２は、支柱本体１１の外側前板部１１ｂに、支柱本体１１の外側面と連続するように取り付けられるとともに前縁部が内側に折り曲げられた外板部１２ａと、これら外板部１２ａのガイド面（内面）に取り付けられて上部ほど幅が狭くなるガイド溝１６を形成する前後一対のガイドレール板１６ａ，１６ｂとで構成されている。
【００２７】
カバー体１３は、図７，図９に示すように、支柱本体１１の開口部１０の内面とガイドプレート１２のガイド面とを覆う内面板１３ａが、その後辺部を開閉ヒンジ部材１７を介して支柱本体１１の前側内板部１１ａに回動自在に取り付けられている。また、前記内面板１３ａの前縁部から外側に折り曲げられてガイドプレート１２の前部に至る前面板１３ｂが、側部シール材５Ａを含む支柱本体１１の開口部１０の前面が覆い、内面板１３ａと前面板１３ｂとの上端部に上面を覆う天面板１３ｃが取り付けられている。さらに内面板１３ａの支柱本体１１側には、所定間隔をあけて上下一対のカバー係止部材１８が突設されており、これらカバー係止部材１８は後述するカバー固定具３２Ａ，３２Ｂに係止され、カバー体１３が開口部１０を覆う閉鎖状態でロックされる。また、カバー体１３を回動自在に支持する開閉ヒンジ部材１７には、カバー体１３を開放する側に回動付勢する付勢ばね（図示せず）が組み込まれており、カバー固定具３２Ａ，３２Ｂがカバー係止部材１８を開放することにより、カバー体１３はそれぞれ付勢ばねにより内側に回動されて側部シール材５Ａを含む支柱本体１１の下半部前面を開放するように構成される。
【００２８】
なお、図６に示すように、上段防水扉４Ａの遊端部両側には、面板のコーナー部４ｂが切り欠かれるとともに、これら切欠きコーナー部４ｂに、索体８を案内するガイドロッド１９が幅方向に突設され、これらガイドロッド１９は各先端部が前記ガイド溝１６にそれぞれ嵌合されて案内されている。
【００２９】
ゲート開閉装置７は、両支柱本体１１内にそれぞれ収納された対称構造であるため一方のみを図示し説明する。図７〜図９に示すように、支柱本体１１内に上端部に取付部材を介して垂下された水道圧シリンダ９と、水道圧シリンダ９の作動端９ａに設けられた駆動シーブ（滑車）２２と、支柱本体１１の中間位置に支持されたガイドシーブ（滑車）２３と、上段防水扉４Ａと支柱本体１１との間に連結されて水道圧シリンダ９により引き込み、送り出し駆動される索体８とを具備し、前記索体８は、一端が支柱本体１１の中間位置にワイヤ固定具２１を介して連結固定され、水道圧シリンダ９により昇降駆動される駆動シーブ２２に巻回された後、ガイドシーブ２３を介して送り出され、他端がワイヤ連結具２４により上段防水扉４Ａの後面で前後方向の略中心位置に連結固定されている。
【００３０】
したがって、収納室３内で防水扉４が折り畳まれた収納状態では、図７に実線で示すように、水道圧シリンダ９は収縮されて駆動シーブ２２は上端の開放位置Ｉにあり、この状態から水道圧シリンダ９に水道水が供給されると、水道圧シリンダ９が進展されて駆動シーブ２２が下降され、滑車による倍力（倍速）機構により、駆動シーブ２２の移動量の２倍の長さの索体８がガイドシーブ２３を介して引き込まれる。すると、索体８が案内されているガイドロッド１９を介して上段防水扉４Ａが連結ヒンジ１４ａを中心に回動して引き起こされ、ガイドロッド１９がガイド溝１６に沿って上方に案内される。ついで中間材４Ｃと下段防水扉４Ｂの上辺部も上方に引き起こされて底部ヒンジ１４ｃを中心に上方に回動され、図７に仮想線でまたは図３に示すように、くの字形に折れ曲がった状態となる。さらに、水道圧シリンダ９が進展されると、駆動シーブ２２が閉鎖位置IIまで下降されて索体８がさらに引き込まれ、上段防水扉４Ａと下段防水扉４Ｂとが展開されて直線状態となる。そして、さらに索体８が引き込まれることにより、防水扉４の圧接シール部材６Ｂが側部シール材５Ａおよび底部シール材５Ｂに当て付けられて閉止される。
【００３１】
前記カバー体開放機構３１は、図９，図１０に示すように、カバー係止部材１８に対応して支柱本体１１内に上下一対のカバー固定具３２Ａ，３２Ｂが設置されており、上下カバー固定具３２Ａ，３２Ｂの構造は詳細に説明しないが、一対の把持レバー３２ａをばねにより噛み合わせてカバー係止部材１８のロッド部１８ａを把持しロック可能に構成され、前記把持レバー３２ａを開放可能な解除レバー３２ｂが設けられている。そして、上下カバー固定具３２Ａ，３２Ｂの作動レバーは、支柱本体１１内に垂設された１本の板状連結杆３３により互いに連結され、連結杆３３は付勢用ばね３３ａにより下方（反解除方向）に付勢されている。また駆動シーブ２２の開放位置Ｉの上部位置に対応して、開放レバー３４が左右方向の支持ピン３４ａを介して回動自在に支持されている。この開放レバー３４は、受動端に受動ピン３４ｂが設けられるとともに、作動端に作動ピン３４ｃが設けられており、開動開始時に水道圧シリンダ９の作動端９ａに設けられたカバー開放ドグ３５が受動ピン３４ｂに当接され、これにより開放レバー３４の作動ピン３４ｃが連結杆３３に設けられた受圧片３３ｂを上方に押し上げ、連結杆３３を介して解除レバー３２ｂを解除操作するように構成されている。３４ｄは、開放レバー３４の作動端を下方に回動付勢するレバー付勢ばねである。
【００３２】
前記折り畳み始動機構４１は、図８，図１１に示すように、両支柱本体１１の下部で閉鎖位置IIの下段防水扉４Ｂに対応して、取付板４２に左右方向の支持ピン４３を介してＬ字形の押出しレバー４４がそのコーナー部を回動自在に支持されている。押出しレバー４４は、上部に前後方向に揺動される押出し部４４ａが設けられるとともに、前部に上下方向に揺動される受圧部４４ｂが設けられており、レバー付勢ばね４５により下部後方に回動付勢されている。一方、水道圧シリンダ９の作動端９ａには、カバー開放ドグ３５に左右方向に位置ずれして折り畳み用ドグ４６が取り付けられ、また前記押出しレバー４４の受圧部４４ｂに、折り畳み用ドグ４６が当接可能なレバーフック４７が左右方向のピンを介して上下回動自在に取り付けられている。このレバーフック４７は上下回動自在に支持されて、折り畳み用ドグ４６が上方から下方に移動する時に下方に回動して通過を許し、かつ折り畳み用ドグ４６が下方から上方に移動する時に所定位置で上方への回動が規制されて押出しレバー４４の受圧部４４ｂを上方に回動させるように構成されている。したがって、防水扉４を閉鎖した後、水道圧シリンダ９が収縮されて開放位置IIの作動端９ａが上昇し、折り畳み用ドグ４６がレバーフック４７を介して押出しレバー４４を回動し、押出し部４４ａが前方に押し出されることにより下段防水扉４Ｂの上部が前方に押し出されて防水扉４が折り畳まれる。
【００３３】
上記構成において、集中豪雨などの警報が入り、状況に応じて職員が作動操作ボタンを押すか、または自動監視システムにより操作スイッチがオンされると、図示しない警報装置から警告音が発せられるとともに、水道圧シリンダ９の進展室に水道水圧が供給されるとともに、カバー体開放機構３１が作動される。
【００３４】
すなわち、図１，図７に示す状態から、水道圧シリンダ９が進展されて作動端９ａに設けられたカバー開放ドグ３５により、開放レバー３４が駆動されて受圧片３３ａを介して連結杆３３が所定量上昇される。これにより、上下カバー固定具３２Ａ，３２Ｂが作動されてロックが解除されカバー係止部材１８がそれぞれ開放される。すると、開閉ヒンジ部材１７に内装されたばねによりカバー体１３が開動されて、図２に示すように、支柱本体１１の開口部１０とガイドプレート１２のガイド面が開放される。
【００３５】
そして、水道圧シリンダ９の進展により駆動シーブ２２が下降されて索体８がガイドシーブ２３を介して引き込まれ、まず上段防水扉４Ａが連結ヒンジ１４ａ，１４ｂを中心に回動して引き起こされる。そしてガイドロッド１９がガイド溝１６に案内されて上昇し、上段防水扉４Ａの回動される。ついで中間材４Ｃおよび下段防水扉４Ｂが上方に引き起こされ、底部ヒンジ１４ｃを中心に上方に回動され、図３に示すように、くの字形に折れ曲がった状態となる。さらに水道圧シリンダ９が進展されて駆動シーブ２２が閉鎖位置IIまで下降されることにより、索体８がさらに引き込まれ上段防水扉４Ａと下段防水扉４Ｂとが展開され、図４，図８に示すように直線状態となる。そして、さらに索体８が引き込まれて、防水扉４が支柱体２に引き付けられ、圧接シール部材６Ｂが側部シール材５Ａおよび底部シール材５Ｂにそれぞれ押し付けられてシールされる。また警報装置の警報が停止される。
【００３６】
以上により出入口１が閉鎖され、道路が冠水しても出入口１からエレベータ装置内に浸水するのを防止することができる。
警報が解除されて職員が解除操作ボタンを押すか、または自動監視システムにより操作スイッチがオフされると、警報装置から警告音が発せられるとともに、水道圧シリンダ９の収縮室に水道水圧が供給される。
【００３７】
これにより、水道圧シリンダ９が収縮されて駆動シーブ２２が閉鎖位置IIから上昇され、索体８が送り出され、まず折り畳み始動機構４１が作動される。すなわち、作動端９ａに設けられた折り畳み用ドグ４６により、レバーフック４７を介して押出しレバー４４を押し上げ、押出し部４４ａを前方に突出させて直線状に起立された下段防水扉４Ｂの連結部近傍を前方に押し出し防水扉４を折り曲げる。これにより索体８を送り出すことで、防水扉４の自重による折り畳みが開始される。折り畳み用ドグ４６が上方に通過すると、押出しレバー４４はレバー付勢ばね４５によりが元位置に復帰される。
【００３８】
水道圧シリンダ９がさらに収縮されて駆動シーブ２２が上昇し索体８が送り出されると、ガイドロッド１９がガイド溝１６に案内されつつ下降し、上段防水扉４Ａが連結ヒンジ１４ａ，１４ｂを中心に下方に回動されるとともに、下段防水扉４Ｂが底部ヒンジ１４ｃを中心に下方に回動され、さらに駆動シーブ２２が開放位置Ｉに達して、防水扉４が折り畳まれた状態で収納室３に収納される。
【００３９】
この時、下段防水扉４Ｂと上段防水扉４Ａは中間材４Ｃおよび上下脚部材１５Ａ，１５Ｂを介して互いに平行に重なるように水平姿勢に折り畳まれて収納室３に収納され、上段防水扉４Ａのスキンプレート４ａが歩廊として使用される。次いで職員が手動でカバー体１３を閉じ、カバー係止部材１８が上下カバー固定具３２Ａ，３２Ｂにそれぞれロックされる。
【００４０】
上記実施の形態によれば、出入口１の前床部に形成された収納室３に防水扉４を収納して、出入口１を閉鎖する時に、収納室３から防水扉４を引き起こすことにより、従来のように保管場所から運搬してくるのに比較して、防水扉４の保管場所も不要で、迅速に防水扉４の開閉が可能となる。また出入口１が開放されている日常時は、カバー体１３により側部シール材５Ａと開口部１０が覆われるので、直射日光などによる側部シール材５Ａの劣化や開口部１０へのいたずらを防止でき、美観の向上を図ることができる。したがって、側部シール材５Ａの劣化を防止できるので、側部シール材５Ａの長寿命化を図り、交換やメンテナンスを削減してランニングコストを低減することができる。
【００４１】
また、防水扉４を折り畳み自在に連結された２枚の上段防水扉４Ａと下段防水扉４Ｂとにより構成し、収納室３に折り畳んで収納するので、収納室３の面積を削減することができ、コンパクトに構成することができる。
【００４２】
さらに、開放時に収納室３を上段防水扉４Ａのスキンプレート４ａで覆って歩廊とすることにより、収納室３を閉鎖するカバーが不要となり、また出入口１を閉鎖する時に前記カバーを開放する開閉機構も不要となるので、生産コストを削減することができる。
【００４３】
さらにまた、折り畳み始動機構４１により、閉動開始時に水道圧シリンダ９の作動端９ａに設けられた折り畳み用ドグ４６で押出しレバー４４を作動して展開状態の防水扉４を加圧することにより、防水扉４を連結部で折り曲げて、索体８送り出すだけで、その自重を利用して上段防水扉４Ａと下段防水扉４Ｂとを容易かつ確実に折り畳むことができる。
【００４４】
ゲート開閉装置７は、垂設した水道圧シリンダ９により駆動シーブ２２を昇降させ索体８をガイドシーブ２３を介して引き込んだり送り出すように構成したので、支柱体２内の縦長の狭い空間に容易に配置することができる。また水道圧シリンダ９を直線駆動装置として使用することにより、水道管からす移動圧シリンダ９に接続するホースがあれば、他の駆動ユニットが不要となり、停電の可能性がある電源に比較して、水道水の供給が停止されることは極めて少ないため、非常時に正常な開閉が可能となる。また展開状態の防水扉４を、ガイドシーブを介して索体８を支柱体１内に引き込むことで、防水扉４をシール材５Ａ，５Ｂおよびシール部材６Ａ，６Ｂを介して支柱本体１１の前面に押し付けることができ、シールするための特別な押付機構も不要で、シールを確実に実施することができる。さらに、索体８をワイヤ固定具２１とガイドシーブ２３の間で駆動シーブ２２を昇降駆動させるいわゆる「滑車による倍力（倍速）機構」により、索体の駆動長さを長くとれ、かつ大きい力で防水扉４を開閉駆動することができる。
【００４５】
なお、上記実施の形態では、防水扉４を上下２段の折り畳み式に構成したが、単体であってもよく、また上下３段以上に分割されていてもよい。
また支柱体２にシールパッキン（側部シール材５Ａ、底部シール材５Ｂ）を設け、防水扉４にシール部材６Ｂを設けたが、その逆に配置してもよく、また防水シール用構成部材は、必要に応じて配置位置や種類を適宜選択することができる。
【００４６】
【発明の効果】
以上に述べたごとく請求項１記載の発明によれば、出入口の前床部に形成された収納室に、上下複数段に分割された分割扉からなる防水扉を折り畳んで収納し、出入口を閉鎖する時にゲート開閉装置により防水扉を収納室から引き起こすことにより、出入口への浸水を防止するので、防水扉の保管場所も不要で、迅速に防水扉の開閉が可能となる。また防水扉を複数の分割扉により構成し、収納室に折り畳んで収納するので、収納室の面積を大幅に削減することができる。さらに折り畳み始動機構により、閉動開始時に展開状態の防水扉を加圧して、分割扉をその自重を利用して容易かつ確実に折り畳むことができる。
【００４７】
請求項２記載の発明によれば、縦長の支柱体内の空間に直線駆動機構を容易に配置することができ、索体を滑車を介して引き込みまたは送り出すことにより、狭い支柱体内に容易にゲート開閉装置を収容することができる。
【００４８】
請求項３記載の発明によれば、出入口の開放時には、カバー体により防水シール用構成部材を覆うことで、直射日光などの劣化要因から遮断して防水シール用構成部材の劣化を防止して長寿命化を図り、交換やメンテナンスを削減してランニングコストを低減することができる。
【００４９】
請求項４記載の発明によれば、収納室を最上段の分割扉で覆って歩廊としたことにより、収納室を閉鎖するカバーが不要となり、また出入口の閉鎖時にカバーを開放する開閉装置も不要となるので、生産コストを削減することができる。
【００５０】
請求項５記載の発明によれば、出入口の開放時には、カバー体により防水シール用構成部材を覆うことで、直射日光などの劣化要因から遮断して防水シール用構成部材の劣化を防止して長寿命化を図り、交換やメンテナンスを削減してランニングコストを低減することができる。
【００５１】
請求項６記載の発明によれば、直線駆動機構を水道圧シリンダで構成することにより、駆動ユニットが不要となり、また停電の可能性がある電源も不要で、非常時にも正常に開閉することができる。また、索体を支柱体内に引き込むことで、防水扉を防水シール用構成部材を介して支柱体に押し付け、浸水を確実に防止することができる。
【図面の簡単な説明】
【図１】本発明に係る防水扉装置の実施の形態を示し、開放状態の全体斜視図である。
【図２】同防水扉装置のカバー体開放状態を示す全体斜視図である。
【図３】同防水扉装置の防水扉の開放途中の状態を示す全体斜視図である。
【図４】同防水扉装置の防水扉の閉鎖状態を示す全体斜視図である。
【図５】同防水扉装置の支柱体と収納室を示す正面断面図である。
【図６】（ａ）（ｂ）はそれぞれ同防水扉装置の防水扉を示し、（ａ）は背面図、（ｂ）は正面図である。
【図７】同防水扉装置の防水扉開放状態の側面断面図である。
【図８】同防水扉装置の防水扉開放状態の側面断面図である。
【図９】同防水扉装置の支柱部とカバー体を示す平面断面図である。
【図１０】（ａ）（ｂ）はそれぞれ同防水扉装置のカバー開放機構を示し、（ａ）は正面図、（ｂ）は側面図である。
【図１１】同防水扉装置の折り畳み始動機構を示す側面図である。
【符号の説明】
１    出入口
２    支柱体
３    収納室
４    防水扉
４Ａ  上段防水扉
４Ｂ  下段防水扉
４Ｃ  中間材
５Ａ  側部シール材
５Ｂ  底部シール材
６Ａ  連結シール部材
６Ｂ  圧接シール部材
７    ゲート開閉装置
８    索体
９    水道圧シリンダ
１０    開口部
１２    ガイドプレート
１３    カバー体
１４ａ，１４ｂ  中間ヒンジ
１６    ガイド溝
１７    開閉ヒンジ部材
１８    カバー係止部材
１９    ガイドロッド
２２    駆動シーブ
２３    ガイドシーブ
３１    カバー体開放機構
３２Ａ，３２Ｂ  カバー固定具
３３    連結杆
３４    開放レバー
３５    カバー開放ドグ
４１    折り畳み始動装置
４４    押出しレバー
４６    折り畳み用ドグ
【図１】
0003955233.tif 000002
【図２】
0003955233.tif 000003
【図３】
0003955233.tif 000004
【図４】
0003955233.tif 000005
【図５】
0003955233.tif 000006
【図６】
0003955233.tif 000007
【図７】
0003955233.tif 000008
【図８】
0003955233.tif 000009
【図９】
0003955233.tif 000010
【図１０】
0003955233.tif 000011
【図１１】
0003955233.tif 000012